(57)【要約】【課題】熱源機の掃除機能による空調空間の温度変化を抑制することが可能な空調システム、及び制御装置を提供する。【解決手段】空調システムは、熱源機１１と分配装置と制御装置３０とを備える。熱源機１１は、空調運転を中断して熱源機１１の掃除を行う掃除機能を有する。制御装置３０は、掃除制御部３１と、時刻設定部３２と、を有する。掃除制御部３１は、熱源機１１に掃除機能を実行させる。時刻設定部３２は、掃除制御部３１が所定期間内（２４時間以内）に掃除機能を２回実行させる場合、２回の掃除機能のうち第１の掃除機能が実行される第１の掃除時刻に基づいて第２の掃除機能が実行される第２の掃除時刻を設定する。時刻設定部３２は、第１の掃除時刻と前記第２の掃除時刻との時間差が所定時間以上となるように前記第２の掃除時刻を設定する。【選択図】図２
2018109457.tif 000002
【特許請求の範囲】
【請求項１】
冷気又は暖気を熱エネルギーとして生成する熱源機と、
前記熱源機が生成した前記熱エネルギーを建物における複数の空調空間に分配する分配装置と、
前記熱源機及び前記分配装置を制御する制御装置と、を備え、
前記熱源機は、前記熱エネルギーを前記複数の空調空間に供給する空調運転を中断して前記熱源機の掃除を行う掃除機能を有し、
前記制御装置は、
前記熱源機に前記掃除機能の実行を指示する掃除制御部と、
前記掃除制御部が所定期間内に前記掃除機能を２回実行させる場合、前記２回の掃除機能のうち第１の掃除機能が実行される第１の掃除時刻に基づいて第２の掃除機能が実行される第２の掃除時刻を設定する時刻設定部と、を有し、
前記時刻設定部は、前記第１の掃除時刻と前記第２の掃除時刻との時間差が所定時間以上となるように前記第２の掃除時刻を設定する
ことを特徴とする空調システム。
【請求項２】
前記熱源機は、エアフィルタ及び熱交換器を備えるエアコンディショナであって、
前記第１の掃除機能が前記エアフィルタを掃除するフィルタ掃除機能であり、前記第２の掃除機能が前記熱交換器を掃除する内部掃除機能である
ことを特徴とする請求項１に記載の空調システム。
【請求項３】
前記所定期間は、２４時間であり、
前記時刻設定部は、
前記第２の掃除時刻の時間帯の候補として、深夜を含む夜時間帯と日中を含む昼時間帯があり、
前記第２の掃除時刻を前記夜時間帯に設定可能である場合、前記第２の掃除時刻を前記夜時間帯に設定し、
前記第２の掃除時刻を前記夜時間帯に設定不可である場合、前記第２の掃除時刻を前記昼時間帯に設定する
ことを特徴とする請求項１又は２に記載の空調システム。
【請求項４】
前記制御装置は、ユーザが操作可能な操作部を有し、
前記ユーザによる前記操作部の操作により前記ユーザの不在スケジュールの入力が可能であり、
前記時刻設定部は、前記不在スケジュールに基づいて前記ユーザの不在中に前記第２の掃除機能が完了すると推定される場合、前記第２の掃除時刻を前記ユーザの不在中の時刻に設定する
ことを特徴とする請求項１〜３のいずれか１項に記載の空調システム。
【請求項５】
請求項１〜４のいずれか１項に記載の空調システムに用いられることを特徴とする制御装置。
【発明の詳細な説明】
【技術分野】
【０００１】
本発明は、一般に空調システム、及び制御装置に関し、より詳細には、建物における複数の空調空間の空調をまとめて行う空調システム、及びそれに用いられる制御装置に関する。
【背景技術】
【０００２】
従来、エアフィルタの自動清掃、及び室内熱交換器の自動洗浄を行う空気調和機が提案されている（例えば、特許文献１参照）。特許文献１では、空気調和機が運転中に設定時刻になると、運転を停止してフィルタ清掃が行われ、その後熱交換器洗浄が行われる。フィルタ清掃及び熱交換器洗浄が完了すると、設定時刻前の運転状態に復帰させる。
【先行技術文献】
【特許文献】
【０００３】
【特許文献１】特開２００９−５８１４３号公報
【発明の概要】
【発明が解決しようとする課題】
【０００４】
特許文献１では、室内熱交換器の自動洗浄（掃除機能）とエアフィルタの自動清掃（掃除機能）とが続けて行われるので、空気調和機（熱源機）の空調運転の中断期間が長くなり空調空間の温度変化が大きくなるおそれがあった。
【０００５】
本発明は、上記事由に鑑みてなされており、その目的は、熱源機の掃除機能による空調空間の温度変化を抑制することが可能な空調システム、及び制御装置を提供することにある。
【課題を解決するための手段】
【０００６】
本発明の一態様に係る空調システムは、熱源機と、分配装置と、制御装置と、を備える。前記熱源機は、冷気又は暖気を熱エネルギーとして生成する。前記分配装置は、前記熱源機が生成した前記熱エネルギーを建物における複数の空調空間に分配する。前記制御装置は、前記熱源機及び前記分配装置を制御する。前記熱源機は、前記熱エネルギーを前記複数の空調空間に供給する空調運転を中断して前記熱源機の掃除を行う掃除機能を有する。前記制御装置は、掃除制御部と、時刻設定部と、を有する。前記掃除制御部は、前記熱源機に前記掃除機能の実行を指示する。前記時刻設定部は、前記掃除制御部が所定期間内に前記掃除機能を２回実行させる場合、前記２回の掃除機能のうち第１の掃除機能が実行される第１の掃除時刻に基づいて第２の掃除機能が実行される第２の掃除時刻を設定する。また、前記時刻設定部は、前記第１の掃除機能の終了時刻と前記第２の掃除機能の開始時刻との時間差が所定時間以上となるように前記第２の掃除時刻を設定する。
【０００７】
本発明の一態様に係る制御装置は、上記の空調システムに用いられる。
【発明の効果】
【０００８】
本発明の空調システム、及び制御装置では、熱源機の掃除機能による空調空間の温度変化を抑制することが可能となる。
【図面の簡単な説明】
【０００９】
【図１】図１は、本発明の一実施形態に係る空調システムの全体構成を示す概略構成図である。
【図２】図２は、同上の空調システムにおける制御装置及び熱源機を示すブロック図である。
【図３】図３は、同上の空調システムにおいてフィルタ掃除時刻を入力するときの操作表示装置の画面の例を示す図である。
【発明を実施するための形態】
【００１０】
以下、本発明の実施の形態を図面に基づいて説明する。ただし、以下に説明する実施形態は、本発明の様々な実施形態の一つに過ぎない。下記の実施形態は、本発明の目的を達成できれば、設計等に応じて種々の変更が可能である。
【００１１】
（実施形態）
以下では、本実施形態の空調システム１０について、図１〜３に基づいて説明する。空調システム１０は、建物２０に設置することを想定している、以下に説明する実施形態においては、建物２０として戸建て住宅を想定し、空調システム１０として全館空調システムを想定している。この全館空調システムは、熱源機１１が生成した熱エネルギー（冷気又は暖気）を建物２０のほぼ全体に供給するように構成されている。また、この全館空調システムは、空調と換気とを行うように構成されている。
【００１２】
図１に示す空調システム１０は、建物２０に設置されている。建物２０は、その内部に複数（例えば、９つ）の空調空間２１を備える。空調空間２１は、空調の対象となる空間である。複数の空調空間２１は、例えば、建物２０の複数の区画２３に一対一に対応している。ただし、単一の区画２３に複数の空調空間２１が存在する場合があり、また単一の空調空間２１が複数の区画２３に跨がる場合がある。区画２３は、例えば、部屋（リビング、寝室等）、キッチン、玄関、廊下等である。
【００１３】
空調システム１０は、熱源機１１と、フィルタ装置１２と、複数（例えば、２台）の搬送ファン１３と、複数（例えば、１０個）のダンパ１４と、複数（例えば、１０個）の吹出口１５と、を備える。熱源機１１とフィルタ装置１２と２台の搬送ファン１３とは、建物２０に設置される単一の筐体１０１に収納されており、ユニット化されている。
【００１４】
また、空調システム１０は、熱源機１１から空気を送り出す給気ダクト１６と、熱源機１１に空気を導入する外気ダクト１７１と、を備える。さらに、空調システム１０は、制御装置３０及び複数（例えば、９個）の温度センサ１８を備えている。
【００１５】
熱源機１１は、１台の室内機１１１と１台の室外機１１２とを備えたヒートポンプ式のエアコンディショナである。空調システム１０では、室内機１１１からの空気は給気ダクト１６を通して複数の空調空間２１に供給される。また、室内機１１１が取り込む空気は、建物２０の床下２２から外気ダクト１７１を通して取り込まれる屋外の空気と、複数の空調空間２１それぞれから建物２０の内部を通って室内機１１１の吸込口にたどりつく屋内の空気と、である。図１では、複数の空調空間２１それぞれから隙間（例えば、部屋の扉のアンダーカット等）を通って室内機１１１の吸込口までたどりつく空気の流れを破線１７２で模式的に示している。外気ダクト１７１は、床下２２の空気を取り込む換気ファン１９に接続されている。空調システム１０は、換気ファン１９と外気ダクト１７１と室内機１１１とを含む経路内の１箇所以上に配置されたプレフィルタによって、サイズが比較的大きい塵埃及び昆虫等は、空気をフィルタ装置１２に導入する前に除去される。
【００１６】
図２に示すように、室内機１１１は、熱交換器１１３と、熱交換器１１３を通過する空気から塵埃等を除去するエアフィルタ１１４と、を有している。エアフィルタ１１４は、プレフィルタよりも比較的小さな粉塵等を捕集できるように構成されているのが好ましい。空調システム１０では、プレフィルタを備えることにより、室内機１１１のエアフィルタ１１４の掃除の頻度を少なくすることが可能となる。室内機１１１からの空気は、フィルタ装置１２を通して給気ダクト１６に送られる。フィルタ装置１２は、室内機１１１のエアフィルタ１１４よりも、相対的に粒径の小さな粒子を除去可能（捕集可能）なフィルタ性能を有する。フィルタ装置１２は、例えば、ＨＥＰＡフィルタ（HEPA：High Efficiency Particulate Air）であるのが望ましい。空調システム１０では、フィルタ装置１２がＨＥＰＡフィルタであれば、例えば、ＰＭ２．５等の微小粒子状物質を捕集することが可能である。ＰＭ２．５は、粒子径２．５μｍで５０％の捕集効率を持つ分粒装置を透過する微粒子である。
【００１７】
熱源機１１は、生成した熱エネルギー（冷気又は暖気）を室内機１１１から送り出す空調運転を行う。具体的には、熱源機１１は、夏季には室内機１１１から冷気を送り出す冷房運転を行い、冬季には室内機１１１から暖気を送り出す暖房運転を行う。熱源機１１の冷房運転と暖房運転との切り替えは、春季あるいは秋季のような中間期に行う。冷房運転と暖房運転との違いは、熱源機１１の設定温度を、上限値として用いるか、下限値として用いるかの相違である。熱源機１１は、冷房運転の際は、室内機１１１から送り出す冷気の温度が上限値である熱源機１１の設定温度を上回らないように動作し、暖房運転の際は、室内機１１１から送り出す暖気の温度が下限値である熱源機１１の設定温度を下回らないように動作する。本実施形態の空調システム１０では、熱源機１１が常時稼働しており、空調運転が不要な例えば中間期等は、空調運転が適宜停止する。このとき、熱源機１１は、送風運転を行ってもよい。ただし、空調システム１０は、ユーザの操作により熱源機１１の稼働を停止可能である。以下の説明において、暖房運転の際の熱量は暖気の熱量を意味し、冷房運転の際の熱量は冷気の熱量を意味する。
【００１８】
ダンパ１４は、例えば、ＶＡＶユニット（VAV：Variable Air Volume）である。空調システム１０では、ダンパ１４と吹出口１５とは一対一に対応しているため、ダンパ１４の数と吹出口１５の数とは同数（例えば、１０個）である。ダンパ１４の数及び吹出口１５の数は、熱源機１１の容量、建物２０の構成及び規模等に応じて適宜に定められる。
【００１９】
空調システム１０は、熱源機１１により生成された熱エネルギーを１０個の吹出口１５に分配するために、上述の、２台の搬送ファン１３、給気ダクト１６、及び１０個のダンパ１４を備えている。空調システム１０では、２台の搬送ファン１３と給気ダクト１６と１０個のダンパ１４とは、熱源機１１により生成された熱エネルギーを１０個の吹出口１５に分配する分配装置１０２を構成している。空調システム１０では、熱源機１１により生成された熱エネルギーを１０個の吹出口１５に分配する割合は、２台の搬送ファン１３それぞれの風量と、１０個のダンパ１４それぞれの開度と、により決まる。ここにおいて、空調システム１０では、制御装置３０が分配装置１０２を制御する。これにより、空調システム１０では、熱源機１１により生成された熱エネルギーを１０個の吹出口１５に分配する割合が決まる。
【００２０】
空調システム１０では、複数の空調空間２１の各々に吹出口１５及び温度センサ１８が配置される。ここにおいて、空調システム１０では、複数の空調空間２１の各々に、吹出口１５から空気を供給する。また、空調システム１０では、複数の空調空間２１の各々に温度センサ１８が１つずつ配置される。空調システム１０は、複数の空調空間２１の各々の温度を温度センサ１８により計測する。複数の空調空間２１の各々に単位時間に供給される熱量は、吹出口１５から空調空間２１に供給される空気の温度及び流量により決まる。
【００２１】
温度センサ１８の位置は、吹出口１５から吹き出した空気が温度センサ１８に直接当たることがないように定められる。温度センサ１８の位置は、建物２０において空調空間２１を囲む壁面であって、例えば床から１１０［ｃｍ］以上１２０［ｃｍ］以下の高さとなるように定められる。このような温度センサ１８の位置は、適宜に変更することが可能である。
【００２２】
制御装置３０は、９個の温度センサ１８それぞれが計測した温度を９つの空調空間２１それぞれの現在温度として取得して、現在温度と複数の空調空間２１それぞれの目標温度との差を小さくするように、熱源機１１と分配装置１０２とを制御する。目標温度は、制御装置３０内での判定等に用いられる温度であり、制御装置３０は、ユーザ希望温度から目標温度を算出する。目標温度は、ユーザ希望温度と同じの場合、異なる場合のいずれの場合もある。ユーザ希望温度は、ユーザ等による操作表示装置４０の操作等により複数の空調空間２１それぞれについて指示される温度である。これにより、制御装置３０は、１０個の吹出口１５への単位時間当たりの熱量の分配量を調節する。温度センサ１８は、輻射熱の影響を受けずに温度を計測するように、通気口を有したケースに収納されているのが望ましい。
【００２３】
空調システム１０では、給気ダクト１６は、２系統の分岐ダクト１６１に分岐している。これにより、空調システム１０では、室内機１１１から送り出されフィルタ装置１２を通った空気が、２系統の分岐ダクト１６１それぞれに導入される。空調システム１０では、２系統の分岐ダクト１６１それぞれの上流側に搬送ファン１３が配置されている。図１において、筐体１０１内の破線は、空気の流れる経路を模式的に示している。２台の搬送ファン１３はそれぞれ室内機１１１からの空気を加速する。空調システム１０では、２系統の分岐ダクト１６１それぞれが、更に複数系統（５系統）の末端ダクト１６２に分岐している。つまり、室内機１１１からの空気は１０系統の末端ダクト１６２に導入される。２つの分岐ダクト１６１それぞれから分岐する末端ダクト１６２の数は、５〜７の範囲で適宜設定され、互いに異なっていてもよい。
【００２４】
空調システム１０では、１０系統の末端ダクト１６２の各々に、ダンパ１４が配置される。空調システム１０では、制御装置３０が各ダンパ１４それぞれを制御することによって、各ダンパ１４それぞれの開度を調節する。ダンパ１４は、その開度を調節されることにより、末端ダクト１６２を通る空気の流量を変化させる。末端ダクト１６２の末端には吹出口１５が接続されている。したがって、室内機１１１からの空気は、搬送ファン１３を通してダンパ１４に送られ、ダンパ１４により流量を調節された後、吹出口１５を通して空調空間２１に吹き出す。
【００２５】
空調システム１０は、建物２０の換気を常時行う。そのため、空調システム１０は、各搬送ファン１３を常時稼働する。ただし、空調システム１０では、メンテナンス等の必要に応じて搬送ファン１３を停止させてもよい。
【００２６】
また、熱源機１１は、熱源機１１の掃除を行う掃除機能として、室内機１１１のエアフィルタ１１４を掃除するフィルタ掃除機能（第１の掃除機能）と、室内機１１１の熱交換器１１３を掃除する内部掃除機能（第２の掃除機能）と、を有している。
【００２７】
フィルタ掃除機能は、室内機１１１に設けられた清掃装置１１５により実現される（図２参照）。清掃装置１１５は、エアフィルタ１１４に付着した塵埃を除去するように構成されている。具体的には、清掃装置１１５は、エアフィルタ１１４に付着した塵埃をかき出すブラシ、エアフィルタ１１４に付着した塵埃を吸引する吸引装置等を有しており、集めた塵埃を排気ダクトを介して建物２０の外へ排出する。
【００２８】
内部掃除機能は、熱源機１１の冷房運転によって結露等が生じた熱交換器１１３を、暖気で加熱及び乾燥させることにより熱交換器１１３を掃除する機能である。内部掃除機能により、熱交換器１１３におけるカビ及び菌の繁殖を抑制し、においを低減することができる。内部掃除機能の実行中は室内機１１１の送風口がルーバーで閉じられているため、生成された暖気は室内機１１１の内部を循環する。したがって、内部掃除機能の実行中に生成された暖気は、空調空間２１に供給されない。なお、内部掃除機能の実行中において、室内機１１１のルーバーが開いた状態であってもよい。
【００２９】
熱源機１１は、フィルタ掃除機能及び内部掃除機能を、同時に実行することができず、また、複数の空調空間２１に冷気又は暖気を供給する空調運転を停止した状態で実行する必要がある。したがって、熱源機１１は、フィルタ掃除機能又は内部掃除機能を実行する際は、空調運転を中断し、フィルタ掃除機能又は内部掃除機能の完了後に空調運転を再開する。フィルタ掃除機能の１回あたりに要する時間は、例えば６０分程度である。内部掃除機能の１回あたりに要する時間は、例えば４０〜８０分程度である。
【００３０】
空調システム１０では、制御装置３０が熱源機１１を制御する。熱源機１１は、制御装置３０からの指示によりフィルタ掃除機能及び内部掃除機能を実行する。
【００３１】
図２に示すように、制御装置３０は、掃除制御部３１と、時刻設定部３２と、インターフェイス部３３と、カウンタ３４と、記憶部３５と、を有している。制御装置３０は、インターフェイス部３３を介して、操作表示装置４０との間で情報のやり取りが可能である。
【００３２】
操作表示装置４０は、表示装置とタッチパッドとを含むタッチパネルを備え、ユーザインターフェイス（GUI：Graphic User Interface）として機能する。すなわち、制御装置３０は、操作表示装置４０の表示装置に情報を出力し、操作表示装置４０のタッチパッドから入力される情報を受け付ける。操作表示装置４０には、必要に応じて様々な画面が表示される。操作表示装置４０は、専用でなくても、スマートフォン、タブレットコンピュータ、パーソナルコンピュータ等であってもよい。空調システム１０では、操作表示装置４０が、ユーザが操作可能な操作部を構成している。また、空調システム１０は、操作表示装置４０の代わりに、表示装置と操作装置とを個別に備えていてもよい。この場合、操作装置が、ユーザが操作可能な操作部を構成する。
【００３３】
掃除制御部３１は、熱源機１１にフィルタ掃除機能を実行させるフィルタ掃除指示、及び熱源機１１に内部掃除機能を実行させる内部掃除指示を出力する。具体的には、掃除制御部３１は、現在時刻がフィルタ掃除時刻（第１の掃除時刻）になるとフィルタ掃除指示を熱源機１１に出力する。熱源機１１は、掃除制御部３１からのフィルタ掃除指示を受け取るとフィルタ掃除機能を実行する。したがって、熱源機１１は、２４時間ごとにフィルタ掃除機能を実行する。
【００３４】
フィルタ掃除時刻のデータは、記憶部３５に記憶されている。記憶部３５は、例えばＲＯＭ（Read Only Memory）、ＲＡＭ（Random Access Memory）、ＥＥＰＲＯＭ（Electrically Erasable Programmable Read Only Memory）等のフラッシュメモリで構成されている。記憶部３５には、予めフィルタ掃除時刻のデフォルト値が記憶されている。フィルタ掃除時刻のデフォルト値は、例えば午前１時である。また、フィルタ掃除時刻は、ユーザによる操作表示装置４０の操作によって変更可能である。図３は、操作表示装置４０におけるフィルタ掃除時刻の入力画面Ｐ１の一例である。ユーザは、フィルタ掃除時刻の「時」及び「分」をそれぞれプルダウンで入力することができる。入力画面Ｐ１上のボタンＢ１は、入力されたフィルタ掃除時刻を決定するためのボタンである。操作表示装置４０は、ボタンＢ１が押されると、入力されたフィルタ掃除時刻のデータを制御装置３０に送信する。制御装置３０は、記憶部３５に記憶しているフィルタ掃除時刻のデータを、受信したフィルタ掃除時刻のデータに書き換える。
【００３５】
また、掃除制御部３１は、カウンタ３４のカウント数が所定回数（例えば、３０回）に達した場合、現在時刻が内部掃除時刻（第２の掃除時刻）になると内部掃除指示を熱源機１１に出力する。熱源機１１は、掃除制御部３１からの内部掃除指示を受け取ると内部掃除機能を実行する。カウンタ３４は、熱源機１１が冷房運転を中断してフィルタ掃除機能を実行した回数をカウントするように構成されている。したがって、フィルタ掃除機能が２４時間ごとに実行されるので、熱源機１１は、冷房運転を行う夏季において３０日ごとに内部掃除機能を実行する。言い換えれば、熱源機１１は、冷房運転を行う夏季において３０日ごとに、２４時間以内（所定期間内）に２回の掃除機能（フィルタ掃除機能、及び内部掃除機能）を実行する。また、カウンタ３４は、掃除制御部３１が内部掃除指示を出力すると、カウント数をリセットする。つまり、カウンタ３４は、内部掃除機能が実行されたときを起点として、フィルタ掃除機能の実行回数をカウントする。
【００３６】
内部掃除時刻は、時刻設定部３２により設定される。時刻設定部３２は、フィルタ掃除時刻に基づいて内部掃除時刻を設定する。具体的には、時刻設定部３２は、フィルタ掃除時刻と内部掃除時刻との時間差が所定時間以上（例えば、２時間以上）となるように内部掃除時刻を設定する。言い換えれば、時刻設定部３２は、フィルタ掃除機能の終了時刻と内部掃除時刻の開始時刻との時間差、又は、内部掃除機能の終了時刻とフィルタ掃除機能の開始時刻との時間差が、一定時間以上（例えば、１時間以上）となるように、内部掃除時刻を設定する。
【００３７】
本実施形態では、内部掃除時刻の時間帯の候補として、深夜を含む夜時間帯と日中を含む昼時間帯とがあり、時刻設定部３２は、内部掃除時刻を夜時間帯又は昼時間帯の時刻に設定する。夜時間帯は、例えば午前１時〜午前４時であり、１日のうち外気温が比較的低く、かつ、住人が就寝していると想定される時間帯である。昼時間帯は、例えば午前１０時〜午前１１時であり、１日のうち太陽の高度が比較的高いため建物２０内への日射量が少なく、かつ、外気温が最高気温まで上がりきっていないと想定される時間帯である。
【００３８】
記憶部３５には、１日を分割した複数の時間帯と、複数の時間帯と一対一に対応する複数の時刻データを示すデータテーブルを記憶している。データテーブルは、フィルタ掃除時刻が含まれる時間帯に対応する時刻を内部掃除時刻とした場合、フィルタ掃除時刻と内部掃除時刻との時間差が所定時間以上となり、かつ内部掃除時刻が夜時間帯又は昼時間帯となるように設定されている。時刻設定部３２は、データテーブルに基づいて、フィルタ掃除時刻が含まれる時間帯に対応する時刻を内部掃除時刻に設定する。データテーブルの一例を表１に示す。
【００３９】
【表１】
2018109457.tif 000003
【００４０】
表１に示す例では、１日を３つの時間帯（第１〜第３の時間帯）に分割している。フィルタ掃除時刻が午前４時〜午後２２時５９分までの第１の時間帯に含まれる場合、時刻設定部３２は、夜時間帯の午前１時を内部掃除時刻に設定する。フィルタ掃除時刻が午後２３時〜午前１時５９分までの第２の時間帯に含まれる場合、時刻設定部３２は、夜時間帯の午前４時を内部掃除時刻に設定する。フィルタ掃除時刻が午前２時〜午前３時５９分までの第３の時間帯に含まれる場合、時刻設定部３２は、昼時間帯の午前１１時を内部掃除時刻に設定する。つまり、時刻設定部３２は、フィルタ掃除時刻に基づいて、内部掃除時刻を夜時間帯に設定可能である場合、内部掃除時刻を夜時間帯に設定し、内部掃除時刻を夜時間帯に設定不可である場合、内部掃除時刻を昼時間帯に設定する。
【００４１】
また、ユーザの操作により制御装置３０が熱源機１１の冷房運転を停止させた場合、掃除制御部３１が内部掃除指示を熱源機１１に出力し、熱源機１１が内部掃除機能を実行する。この場合、カウンタ３４は、カウント数をリセットする。なお、ユーザの操作により制御装置３０が熱源機１１の暖房運転を停止させた場合、熱源機１１は内部掃除機能を実行しない。
【００４２】
次に、空調システム１０の変形例について説明する。
【００４３】
上述した例では、熱源機１１は、制御装置３０の掃除制御部３１からの指示（フィルタ掃除指示、内部掃除指示）を受け取ったタイミングで掃除機能（フィルタ掃除機能、内部掃除機能）を実行するように構成されているが、これに限らない。掃除制御部３１は、熱源機１１に対して掃除機能を実行する時刻を示す指示を出力し、熱源機１１は、掃除制御部３１からの指示が示す時刻になると掃除機能を実行するように構成されていてもよい。
【００４４】
時刻設定部３２は、ユーザの不在スケジュールに基づいて、内部掃除時刻を設定するように構成されていてもよい。制御装置３０は、ユーザによる操作表示装置４０の操作により、不在スケジュールを入力することができる。この不在スケジュールは、ユーザが外出予定日時を予め入力する形態であってもよいし、ユーザが外出時に帰宅予定日時を入力する形態であってもよい。操作表示装置４０で入力された不在スケジュールは、制御装置３０の記憶部３５に記憶される。
【００４５】
時刻設定部３２は、フィルタ掃除時刻と内部掃除時刻との時間差が所定時間以上であり、かつ、ユーザの不在中（外出中）に内部掃除機能が完了すると推定される場合、ユーザの不在中の時刻を内部掃除時刻に設定する。また、ユーザが不在である時間帯に夜時間帯又は昼時間帯が含まれている場合、時刻設定部３２は、内部掃除時刻を、ユーザの不在時間帯中の夜時間帯又は昼時間帯の時刻に設定する。
【００４６】
また、上述した空調システム１０では、第１の掃除機能がフィルタ掃除機能、第２の掃除機能が内部掃除機能である場合を説明したが、これに限らない。第１の掃除機能及び第２の掃除機能は、２４時間以内（所定期間内）に実行される２回の掃除機能であればよく、第１の掃除機能と第２の掃除機能が同じ掃除機能であってもよい。例えば、第１の掃除機能が、２４時間ごとに行う通常フィルタ掃除、第２の掃除機能が、１ヶ月ごとにエアフィルタ１１４を入念に掃除する定期フィルタ掃除であり、１ヶ月ごとに２４時間以内に通常フィルタ装置と定期フィルタ掃除が実行される。また、所定期間は、２４時間に限らず、２４時間よりも短い期間、又は長い期間であってもよい。
【００４７】
また、建物２０は、戸建て住宅に限らず、集合住宅、店舗等の他の建物であってもよい。また、上述した空調システム１０では、フィルタ装置１２としてＨＥＰＡフィルタを採用しているが、ＨＥＰＡフィルタに限らず、例えば、ＵＬＰＡフィルタ（ULPA：Ultra Low Penetration Air）等でもよい。上述した搬送ファン１３の台数、ダンパ１４及び吹出口１５の個数、温度センサ１８の個数等は一例であり、適宜に変更される。
【００４８】
以上説明したように、第１態様に係る空調システム１０は、熱源機１１と、分配装置１０２と、制御装置３０と、を備える。熱源機１１は、冷気又は暖気を熱エネルギーとして生成する。分配装置１０２は、熱源機１１が生成した熱エネルギーを建物２０における複数の空調空間２１に分配する。制御装置３０は、熱源機１１及び分配装置１０２を制御する。熱源機１１は、熱エネルギーを複数の空調空間２１に供給する空調運転を中断して熱源機１１の掃除を行う掃除機能を有する。制御装置３０は、掃除制御部３１と、時刻設定部３２と、を有する。掃除制御部３１は、熱源機１１に掃除機能の実行を指示する。時刻設定部３２は、掃除制御部３１が２４時間以内に掃除機能を２回実行させる場合、２回の掃除機能のうち第１の掃除機能（フィルタ掃除機能）が実行される第１の掃除時刻（フィルタ掃除時刻）に基づいて第２の掃除機能（内部掃除機能）が実行される第２の掃除時刻（内部掃除時刻）を設定する。時刻設定部３２は、第１の掃除時刻と前記第２の掃除時刻との時間差が所定時間以上となるように前記第２の掃除時刻を設定する。
【００４９】
この構成により、空調システム１０は、第１の掃除機能の実行によって空調運転が中断される時間と、第２の掃除機能の実行によって空調運転が中断される時間とがずれるので、空調運転の連続した中断時間が短縮される。これにより、空調システム１０は、第１の掃除機能と第２の掃除機能とを続けて実行する場合に比べて、第１の掃除機能及び第２の掃除機能による空調空間２１の温度変化を抑制することが可能となる。また、第１の掃除機能が実行される第１の掃除時刻と、第２の掃除機能が実行される第２の掃除時刻とが時間的に離れている。したがって、一方の掃除機能の実行中に変化した空調空間２１の温度を、他方の掃除機能が実行されるまでに復帰させることが可能となる。
【００５０】
第２態様に係る空調システム１０では、第１態様において、熱源機１１は、エアフィルタ１１４及び熱交換器１１３を備えるエアコンディショナであることが好ましい。第１の掃除機能がエアフィルタ１１４を掃除するフィルタ掃除機能であり、第２の掃除機能が熱交換器１１３を掃除する内部掃除機能であることが好ましい。
【００５１】
この構成により、空調システム１０は、フィルタ掃除機能と内部掃除機能とを続けて実行する場合に比べて、フィルタ掃除機能及び内部掃除機能による空調空間２１の温度変化を抑制することが可能となる。
【００５２】
第３態様に係る空調システム１０では、第１又は第２態様において、所定期間は２４時間であり、時刻設定部３２は、第２の掃除時刻の時間帯の候補として、深夜を含む夜時間帯と日中を含む昼時間帯があることが好ましい。時刻設定部３２は、第２の掃除時刻を夜時間帯に設定可能である場合、第２の掃除時刻を夜時間帯に設定し、第２の掃除時刻を夜時間帯に設定不可である場合、第２の掃除時刻を昼時間帯に設定することが好ましい。
【００５３】
この構成により、空調システム１０は、第２の掃除時刻の候補である夜時間帯と昼時間帯とのうち、外気温が比較的低い夜時間帯の方が優先度が高いため、第２の掃除機能の実行による空調空間２１の温度変化を抑制することが可能となる。
【００５４】
第４態様に係る空調システム１０では、第１〜第３態様のいずれかにおいて、制御装置３０は、ユーザが操作可能な操作部（操作表示装置４０）を有し、ユーザによる操作部の操作によりユーザの不在スケジュールの入力が可能であることが好ましい。時刻設定部３２は、不在スケジュールに基づいてユーザの不在中に第２の掃除機能が完了すると推定される場合、第２の掃除時刻をユーザの不在中の時刻に設定することが好ましい。
【００５５】
この構成により、ユーザの不在中に第２の掃除機能を実行することが可能となる。
【００５６】
第５態様に係る制御装置３０は、第１〜第４態様のいずれかの空調システム１０に用いられる。
【００５７】
この構成により、制御装置３０は、第１の掃除機能と第２の掃除機能とを続けて実行する場合に比べて、第１の掃除機能及び第２の掃除機能による空調空間２１の温度変化を抑制することが可能となる。
【符号の説明】
【００５８】
１０  空調システム
１１  熱源機（エアコンディショナ）
１１３  熱交換器
１１４  エアフィルタ
２０  建物
２１  空調空間
３０  制御装置
３１  掃除制御部
３２  時刻設定部
４０  操作表示装置（操作部）
１０２  分配装置
【図１】
2018109457.tif 000004
【図２】
2018109457.tif 000005
【図３】
2018109457.tif 000006